(57)【要約】【課題】  信頼性の高い半導体装置、及び、これを効率よく製造する方法を提供する。【解決手段】  半導体装置は、半導体基板１０と、半導体基板１０上に設けられてなり、半導体基板１０と対向する第１の面とは反対側の第２の面に形成された溝２２を有する絶縁層２０と、絶縁層２０上に設けられた導電部３０とを有する。導電部３０は、溝２２の底面２８及び側面２９と接触するように形成された配線部３２を有する。【選択図】      図７
2006287095.tif 000002
【特許請求の範囲】
【請求項１】
半導体基板と、
前記半導体基板上に設けられてなり、前記半導体基板と対向する第１の面とは反対側の第２の面に形成された溝を有する絶縁層と、
前記絶縁層上に設けられた導電部と、
を有し、
前記導電部は、前記溝の底面及び側面と接触するように形成された配線部を有する半導体装置。
【請求項２】
請求項１記載の半導体装置において、
前記配線部は、前記溝の内側のみに形成されてなる半導体装置。
【請求項３】
請求項１又は請求項２記載の半導体装置において、
前記溝に沿って、前記配線部を覆うように形成された絶縁膜をさらに有する半導体装置。
【請求項４】
請求項１から請求項３のいずれかに記載の半導体装置において、
前記導電部は、前記配線部に電気的に接続された電気的接続部を有する半導体装置。
【請求項５】
請求項４記載の半導体装置において、
前記電気的接続部は、前記絶縁層の第２の面上に形成されてなる半導体装置。
【請求項６】
請求項４記載の半導体装置において、
前記絶縁層には、前記溝に連通された凹部が形成されてなり、
前記電気的接続部は、前記凹部の内側に形成されてなる半導体装置。
【請求項７】
請求項４から請求項６のいずれかに記載の半導体装置において、
前記電気的接続部上に形成された外部端子をさらに有する半導体装置。
【請求項８】
請求項１から請求項６のいずれかに記載の半導体装置において、
前記絶縁層上に設けられてなり、前記絶縁層と対向する面とは反対側の面に形成された第２の溝を有する第２の絶縁層と、
前記第２の絶縁層上に設けられた第２の導電部と、
をさらに有し、
前記第２の導電部は、前記第２の溝の底面及び側面と接触するように形成された第２の配線部を有する半導体装置。
【請求項９】
請求項１から請求項８のいずれかに記載の半導体装置において、
前記絶縁層には、貫通穴が形成されてなり、
前記溝は、前記貫通穴に連通されてなる半導体装置。
【請求項１０】
半導体基板上に、前記半導体基板と対向する第１の面とは反対側の第２の面に溝を有するように、絶縁層を形成すること、及び、
前記絶縁層上に、配線部を有する導電部を、前記配線部が前記溝の底面及び側面と接触するように形成することを含む半導体装置の製造方法。
【請求項１１】
請求項１０記載の半導体装置の製造方法において、
前記配線部を、前記溝の内側のみに形成する半導体装置の製造方法。
【請求項１２】
請求項１０又は請求項１１記載の半導体装置の製造方法において、
前記溝に沿って、前記配線部を覆う絶縁膜を形成することをさらに含む半導体装置の製造方法。
【請求項１３】
請求項１２記載の半導体装置の製造方法において、
前記絶縁膜を形成する工程は、
前記配線部を覆うように絶縁ペーストを設けること、及び、
前記絶縁ペーストを硬化させることを含む半導体装置の製造方法。
【請求項１４】
請求項１３記載の半導体装置の製造方法において、
ノズルから前記絶縁ペーストを吐出して、前記絶縁ペーストを設ける半導体装置の製造方法。
【請求項１５】
請求項１０から請求項１４のいずれかに記載の半導体装置の製造方法において、
前記導電部を、前記配線部に電気的に接続された電気的接続部を有するように形成する半導体装置の製造方法。
【請求項１６】
請求項１５記載の半導体装置の製造方法において、
前記電気的接続部を、前記絶縁層の第２の面に形成する半導体装置の製造方法。
【請求項１７】
請求項１５記載の半導体装置の製造方法において、
前記絶縁層を、前記溝に連通された凹部を有するように形成し、
前記電気的接続部を、前記凹部の内側に形成する半導体装置の製造方法。
【請求項１８】
請求項１５から請求項１７のいずれかに記載の半導体装置の製造方法において、
前記電気的接続部上に外部端子を形成することをさらに含む半導体装置の製造方法。
【請求項１９】
請求項１０から請求項１７のいずれかに記載の半導体装置の製造方法において、
前記絶縁層上に、前記絶縁層と対向する面とは反対側の面に形成された第２の溝を有するように、第２の絶縁層を形成すること、及び、
前記第２の絶縁層上に、第２の配線部を含む第２の導電部を、前記第２の配線部が前記第２の溝の底面及び側面と接触するように形成することをさらに含む半導体装置の製造方法。
【請求項２０】
請求項１０から請求項１９のいずれかに記載の半導体装置の製造方法において、
前記絶縁層を、貫通穴を有し、前記溝が前記貫通穴に連通されるように形成する半導体装置の製造方法。
【発明の詳細な説明】
【技術分野】
【０００１】
本発明は、半導体装置及びその製造方法に関する。
【背景技術】
【０００２】
絶縁層上に形成された配線を含む半導体装置が知られている。配線が微細化すると、配線と絶縁層との接触面積が狭くなり、配線と絶縁層との密着性が低下することがあった。半導体装置の信頼性を高めるためには、配線の剥離を防止することが重要である。
【０００３】
本発明の目的は、信頼性の高い半導体装置及びその製造方法を提供することにある。
【特許文献１】特開２００１−１４４２２３号公報
【発明の開示】
【課題を解決するための手段】
【０００４】
（１）本発明に係る半導体装置は、半導体基板と、
前記半導体基板上に設けられてなり、前記半導体基板と対向する第１の面とは反対側の第２の面に形成された溝を有する絶縁層と、
前記絶縁層上に設けられた導電部と、
を有し、
前記導電部は、前記溝の底面及び側面と接触するように形成された配線部を有する。本発明によると、配線部は、溝の底面及び側面と接触するように形成されてなる。これによると、配線部と溝との接触面積を広くすることができる。そのため、配線部と溝部との密着性を高めることができる。そのため、本発明によると、配線を微細化した場合でも配線部の剥離が生じにくい、信頼性の高い半導体装置を提供することができる。
（２）この半導体装置において、
前記配線部は、前記溝の内側のみに形成されていてもよい。
（３）この半導体装置において、
前記溝に沿って、前記配線部を覆うように形成された絶縁膜をさらに有してもよい。
（４）この半導体装置において、
前記導電部は、前記配線部に電気的に接続された電気的接続部を有してもよい。
（５）この半導体装置において、
前記電気的接続部は、前記絶縁層の第２の面上に形成されていてもよい。
（６）この半導体装置において、
前記絶縁層には、前記溝に連通された凹部が形成されてなり、
前記電気的接続部は、前記凹部の内側に形成されていてもよい。
（７）この半導体装置において、
前記電気的接続部上に形成された外部端子をさらに有してもよい。
（８）この半導体装置において、
前記絶縁層上に設けられてなり、前記絶縁層と対向する面とは反対側の面に形成された第２の溝を有する第２の絶縁層と、
前記第２の絶縁層上に設けられた第２の導電部と、
をさらに有し、
前記第２の導電部は、前記第２の溝の底面及び側面と接触するように形成された第２の配線部を有してもよい。
（９）この半導体装置において、
前記絶縁層には、貫通穴が形成されてなり、
前記溝は、前記貫通穴に連通されていてもよい。
（１０）本発明に係る半導体装置の製造方法は、半導体基板上に、前記半導体基板と対向する第１の面とは反対側の第２の面に溝を有するように、絶縁層を形成すること、及び、
前記絶縁層上に、配線部を有する導電部を、前記配線部が前記溝の底面及び側面と接触するように形成することを含む。本発明によると、配線部の剥離が生じにくい、信頼性の高い半導体装置を製造することができる。
（１１）この半導体装置の製造方法において、
前記配線部を、前記溝の内側のみに形成してもよい。
（１２）この半導体装置の製造方法において、
前記溝に沿って、前記配線部を覆う絶縁膜を形成することをさらに含んでもよい。
（１３）この半導体装置の製造方法において、
前記絶縁膜を形成する工程は、
前記配線部を覆うように絶縁ペーストを設けること、及び、
前記絶縁ペーストを硬化させることを含んでもよい。これによると、効率よく半導体装置を製造することができる。
（１４）この半導体装置の製造方法において、
ノズルから前記絶縁ペーストを吐出して、前記絶縁ペーストを設けてもよい。
（１５）この半導体装置の製造方法において、
前記導電部を、前記配線部に電気的に接続された電気的接続部を有するように形成してもよい。
（１６）この半導体装置の製造方法において、
前記電気的接続部を、前記絶縁層の第２の面上に形成してもよい。
（１７）この半導体装置の製造方法において、
前記絶縁層を、前記溝に連通された凹部を有するように形成し、
前記電気的接続部を、前記凹部の内側に形成してもよい。
（１８）この半導体装置の製造方法において、
前記電気的接続部上に外部端子を形成することをさらに含んでもよい。
（１９）この半導体装置の製造方法において、
前記絶縁層上に、前記絶縁層と対向する面とは反対側の面に形成された第２の溝を有するように、第２の絶縁層を形成すること、及び、
前記第２の絶縁層上に、第２の配線部を含む第２の導電部を、前記第２の配線部が前記第２の溝の底面及び側面と接触するように形成することをさらに含んでもよい。
（２０）この半導体装置の製造方法において、
前記絶縁層を、貫通穴を有し、前記溝が前記貫通穴に連通されるように形成してもよい。
【発明を実施するための最良の形態】
【０００５】
以下、本発明を適用した実施の形態について図面を参照して説明する。ただし、本発明は以下の実施の形態に限定されるものではない。なお、本発明は、以下に説明する実施の形態及び変形例を相互に組み合わせたものを含むものとする。
【０００６】
（第１の実施の形態）
以下、本発明を適用した第１の実施の形態に係る半導体装置の製造方法について説明する。図１（Ａ）〜図７は、本発明を適用した第１の実施の形態に係る半導体装置の製造方法について説明するための図である。
【０００７】
本実施の形態に係る半導体装置の製造方法は、図１（Ａ）及び図１（Ｂ）に示す、半導体基板１０を用意することを含んでいてもよい。なお、図１（Ａ）は半導体基板１０の概略図であり、図１（Ｂ）は半導体基板１０の断面図の一部拡大図である。半導体基板１０は、例えばシリコン基板であってもよい。半導体基板１０は、ウエハ状をなしていてもよい（図１（Ａ）参照）。ウエハ状の半導体基板１０は、複数の半導体装置となる領域１１を含んでいてもよい。ただし、半導体基板１０は、チップ状をなしていてもよい。半導体基板１０は、１つ又は複数の（半導体チップには１つの、半導体ウエハには複数の）集積回路１２を有していてもよい。集積回路１２は、領域１１毎に形成されていてもよい。集積回路１２の構成は特に限定されないが、例えば、トランジスタ等の能動素子や、抵抗、コイル、コンデンサ等の受動素子を含んでいてもよい。また、半導体基板１０は複数の電極１４を有する。電極１４は、半導体基板１０の内部と電気的に接続されていてもよい。電極１４は、集積回路１２と電気的に接続されていてもよい。あるいは、集積回路１２に電気的に接続されていない電極を含めて、電極１４と称してもよい。電極１４は、アルミニウム又は銅等の金属で形成されていてもよい。電極１４は、それぞれの領域１１の外周に沿って配列されていてもよい。あるいは、電極１４は、それぞれの領域１１に対してエリアアレイ状に配置されていてもよい。また、電極１４は、集積回路１２とオーバーラップするように形成されていてもよく、あるいは、集積回路１２とオーバーラップしないように形成されていてもよい。さらに、半導体基板１０は、パッシベーション膜１６を有してもよい。パッシベーション膜１６はそれぞれの電極１４（例えば、電極１４の中央部）を露出させる開口を有していてもよい。パッシベーション膜は、例えば、ＳｉＯ２、ＳｉＮ、ポリイミド樹脂等で形成されていてもよい。
【０００８】
本実施の形態に係る半導体装置の製造方法は、半導体基板１０上に、絶縁層２０を形成することを含む（図３（Ａ）〜図３（Ｃ）参照）。絶縁層２０は、半導体基板１０と対向する面とは反対側の面に溝２２を有するように形成する。なお、絶縁層２０の半導体基板１０と対向する面を第１の面、第１の面とは反対側の面を第２の面とすると、溝２２は、第２の面に形成されているといえる。絶縁層２０を形成する方法は特に限定されないが、以下に、図２（Ａ）〜図３（Ｃ）を参照して、絶縁層２０を形成する方法について説明する。
【０００９】
絶縁層２０を形成する方法は、図２（Ａ）に示すように、半導体基板１０に絶縁層２０の材料２４を設けることを含んでいてもよい。絶縁層２０は、樹脂で形成してもよく、このとき、材料２４は、樹脂の前駆体であってもよい。材料２４は、半導体基板１０の全面に、均一の厚みに設けてもよい。材料２４は、電極１４を覆うように形成してもよい。そして、絶縁層２０を形成する方法は、材料２４に凹部２５を形成することを含んでいてもよい。材料２４に凹部２５を形成する方法は、図２（Ｂ）に示すように、材料２４の上方にマスク１００を配置して、エネルギーを照射することを含んでいてもよい。ここで、マスク１００は、部分的にエネルギーを遮断する構造をなしていてもよい。材料２４として、エネルギーが照射されることで現像液への溶解性が増す性質の材料（いわゆるポジ型の材料）を利用してもよい。なお、ポジ型の材料を利用する場合、マスク１００によって、溝２２を形成する領域上でエネルギーを遮断してもよい。そして、現像工程によってエネルギーが照射された領域を除去して、図２（Ｃ）に示すように、材料２４に凹部２５を形成してもよい。そして、絶縁層２０を形成する方法は、材料２４をパターニングすることを含んでいてもよい。材料２４をパターニングする方法は、図２（Ｄ）に示すように、材料２４の上方にマスク２００を配置して、エネルギーを照射することを含んでいてもよい。そして、現像工程によってエネルギーが照射された領域を除去して、図２（Ｅ）に示すように、材料２４をパターニングしてもよい。本工程では、材料２４に、電極１４を貫通させる貫通穴２６を形成してもよい。貫通穴２６は、凹部２５に連通するように形成してもよい（図２（Ｅ）参照）。また、本工程によって、材料２４を、領域１１（図１（Ａ）参照）毎に分割させてもよい。そして、絶縁層２０を形成する工程は、材料２４を硬化（重合）させることを含んでいてもよい。
【００１０】
以上の工程によって、図３（Ａ）〜図３（Ｃ）に示す、絶縁層２０を形成してもよい。以上の工程によると、絶縁層２０は、パターニングされた材料２４と同じ形状に形成される。絶縁層２０は、図３（Ａ）に示すように、半導体基板１０と対向する第１の面とは反対側の第２の面に形成された溝２２を有する。溝２２は、図３（Ｂ）に示すように、底面２８と側面２９とによって構成されていてもよい。すなわち、底面２８と側面２９とによって囲まれた領域を、溝２２と称してもよい。溝２２の断面形状は特に限定されないが、図３（Ｂ）に示すように、半導体基板１０に近づくほど幅が狭くなるように形成されていてもよい。材料２４としてポジ型の材料を利用することで、溝２２を、かかる形状に形成することができる。絶縁層２０は、図３（Ａ）及び図３（Ｃ）に示すように、溝２２に連通された凹部２７を有するように形成してもよい。また、絶縁層２０は、図３（Ａ）及び図３（Ｃ）に示すように、貫通穴２６を有するように形成してもよい。このとき、貫通穴２６は、電極１４を露出させる穴であってもよい。そして、溝２２は、貫通穴２６に連通されていてもよい。なお、絶縁層２０の材料は特に限定されるものではない。絶縁層２０は、例えば、ポリイミド樹脂、シリコーン変性ポリイミド樹脂、エポキシ樹脂、シリコーン変性エポキシ樹脂、ベンゾシクロブテン（ＢＣＢ；benzocyclobutene）、ポリベンゾオキサゾール（ＰＢＯ；polybenzoxazole）等で形成してもよい。なお、図３（Ｂ）は、溝２２と直交する平面で切断した絶縁層２０の断面図である。また、図３（Ｃ）は、絶縁層２０の上視図である。
【００１１】
本実施の形態に係る半導体装置の製造方法は、図４（Ａ）〜図４（Ｄ）に示すように、絶縁層２０上に、導電部３０を形成することを含む。導電部３０は、電極１４と電気的に接続されるように形成してもよい。例えば、電極１４における貫通穴２６からの露出部を利用して、導電部３０を、電極１４と電気的に接続させてもよい。導電部３０は、溝２２の底面２８及び側面２９と接触するように形成された配線部３２を有する（図４（Ｂ）参照）。配線部３２は、図４（Ａ）〜図４（Ｄ）に示すように、絶縁層２０の表面を避けて、溝２２の内側のみに形成してもよい。配線部３２は、図４（Ｃ）に示すように、溝２２に沿って延びる形状をなしていてもよい。配線部３２の断面形状は特に限定されないが、図４（Ｂ）に示すように、溝２２の底面２８及び側面２９に沿った形状をなしていてもよい。言い換えると、配線部３２は、均一の厚みで形成されていてもよい。また、導電部３０は、図４（Ａ）及び図４（Ｃ）に示すように、配線部３２に電気的に接続された電気的接続部３４を有するように形成してもよい。電気的接続部３４は、図４（Ｃ）に示すように、配線部３２よりも幅が広くなっていてもよい。電気的接続部３４を、ランドと称してもよい。電気的接続部３４は、図４（Ｃ）に示すように、凹部２７の内側に形成してもよい。電気的接続部３４は、凹部２７の外形と（ほぼ）同じ形状になるように形成してもよい。すなわち、電気的接続部３４は、配線部３２よりも幅が広くなるように形成してもよい。電気的接続部３４は、凹部２７の内側のみに形成してもよい。すなわち、電気的接続部３４は、絶縁層２０の表面（第２の面）を避けて形成してもよい。また、導電部３０は、絶縁層２０の表面（第２の面）を避けて形成してもよい（図４（Ａ）及び図４（Ｄ）参照）。
【００１２】
導電部３０を形成する方法は特に限定されず、既に公知となっているいずれかの方法を適用してもよい。以下、導電部３０を形成する方法について説明する。導電部３０を形成する方法は、絶縁層２０（絶縁層２０の表面及び溝２２、並びに、貫通穴２６）に、導電層を形成することを含んでいてもよい。導電層は、めっき処理を行うためのシード層であってもよい。導電層は、例えば、スパッタリングによって形成してもよい。導電層は、溝２２の底面２８及び側面２９に形成してもよい。溝２２が半導体基板１０に向かって幅が狭くなる形状をなす場合（図３（Ｂ）参照）、スパッタリングによって、容易に、側面２９に導電層を形成することができる。導電層は、凹部２７の内壁面（底面及び側面）に形成してもよい。また、導電層は、貫通穴２６の内壁面に形成してもよい。導電部３０を形成する方法は、導電層上にレジスト層を形成することを含んでいてもよい。レジスト層は、パターニングされていてもよい。すなわち、レジスト層には、導電層を部分的に露出させる開口が形成されていてもよい。このとき、レジスト層は、開口から、導電層における導電部３０を形成するための領域が露出するように形成してもよい。なお、レジスト層は、溝２２の側面２９の上端部を覆うように形成してもよい。これにより、配線部３２を、溝２２の内側のみに形成することができる。導電部３０を形成する工程は、めっき処理によって、レジスト層の開口に金属を堆積させることを含んでいてもよい。めっき処理は、電解めっき、無電解めっきのいずれを適用してもよい。そして、レジスト層及び導電層を除去して、図４（Ａ）〜図４（Ｄ）に示す、導電部３０を形成してもよい。
【００１３】
本実施の形態に係る半導体装置の製造方法は、図５（Ａ）〜図５（Ｃ）に示す、配線部３２を覆う絶縁膜４０を形成することを含んでいてもよい。絶縁膜４０は、溝２２に沿って形成してもよい（図５（Ａ）及び図５（Ｃ）参照）。絶縁膜４０は、図５（Ｂ）に示すように、溝２２を充填するように形成してもよい。このとき、絶縁膜４０は、絶縁層２０の表面（第２の面）と面一になるように形成してもよい。絶縁膜４０は、図５（Ａ）に示すように、絶縁層２０の貫通穴２６を充填するように形成してもよい。ただし、絶縁膜４０は、貫通穴２６を避けて形成してもよい（図示せず）。絶縁膜４０は、また、図５（Ｃ）に示すように、電気的接続部３４の中央部を避けて、周縁部を覆うように形成してもよい。ただし、絶縁膜４０は、電気的接続部３４を避けて、配線部３２のみを覆うように形成してもよい（図示せず）。
【００１４】
絶縁膜４０を形成する方法は特に限定されず、既に公知となっているいずれかの方法を適用してもよい。以下、図６（Ａ）及び図６（Ｂ）を参照して、絶縁膜４０を形成する方法について説明する。絶縁膜４０を形成する方法は、絶縁層２０（溝２２）に、配線部３２を覆うように絶縁ペースト４２を設けることを含んでいてもよい。絶縁ペースト４２を設ける方法は特に限定されず、例えば、インクジェット方式を適用してもよい。すなわち、図６（Ａ）に示すように、ノズル４４から絶縁ペースト４２を吐出することによって、絶縁層２０（溝２２）に絶縁ペースト４２を設けてもよい。インクジェット方式によれば、インクジェットプリンタ用に実用化された技術を応用することで、絶縁ペースト４２を、高速かつ経済的に設けることが可能である。なお、配線部３２が溝２２の内側に設けられている場合、容易に、配線部３２を覆うように絶縁ペースト４２を設けることができる（図６（Ｂ）参照）。そのため、粘性の低い絶縁ペーストを利用した場合でも、信頼性の高い半導体装置を製造することが可能になる。すなわち、インクジェット方式に適した粘性の絶縁ペーストを利用することが可能になる。そのため、信頼性の高い半導体装置を効率よく製造することができる。その後、絶縁ペースト４２を硬化させることによって、図５（Ａ）〜図５（Ｃ）に示す、絶縁膜４０を形成してもよい。なお、絶縁ペースト４２の滴下量、絶縁ペースト４２の硬化収縮量などを調整することによって、絶縁膜４０の形成領域を制御してもよい。
【００１５】
本実施の形態に係る半導体装置の製造方法は、外部端子５０を形成することを含んでいてもよい。外部端子５０は、電気的接続部３４上に形成してもよい。すなわち、外部端子５０は、電気的接続部３４における絶縁膜４０からの露出部を介して、導電部３０と電気的に接続するように形成してもよい。なお、本工程では、絶縁膜４０によって外部端子５０の搭載領域を制御してもよい。これにより、いわゆるソルダレジスト利用せずに外部端子５０を形成することができる。そのため、効率よく半導体装置を製造することができる。そして、根元補強層５２を形成する工程や、検査工程を経て、図７に示す、半導体装置１を製造してもよい。なお、半導体ウエハの状態を指して半導体装置１と称してもよいが、半導体ウエハを領域１１毎に分割した状態を半導体装置１と称してもよい。そして、図８には、チップ状に分割された半導体装置１が実装された回路基板１０００を示す。
【００１６】
半導体装置１は、半導体基板１０を有する。半導体装置１は、半導体基板１０上に設けられた絶縁層２０を有する。絶縁層２０は、半導体基板１０と対向する面とは反対側の面に形成された溝２２を有する。なお、絶縁層２０の半導体基板１０と対向する面を第１の面と、第１の面とは反対側の面を第２の面と、それぞれ称すると、溝２２は、第２の面に形成されているといえる。半導体装置１は、絶縁層２０上に設けられた導電部３０を有する。導電部３０は、溝２２の底面２８及び側面２９と接触するように形成された配線部３２を有する。これによると、配線部３２と絶縁層２０との接触面積を広くすることができる。そのため、配線部３２と絶縁層２０との密着性を高めることができる。すなわち、絶縁層２０と配線部３２（導電部３０）とを、剥離しにくくすることができる。これにより、配線部３２（導電部３０）が微細化した場合でも、配線部３２（導電部３０）の剥離が生じにくい、信頼性の高い半導体装置を提供することができる。配線部３２は、絶縁層２０の表面を避けて、溝２２の内側のみに形成されていてもよい。これによると、配線部３２に応力が集中しにくくなるため、さらに信頼性の高い半導体装置を提供することができる。また、導電部３０は電気的接続部３４を有してもよい。電気的接続部３４は、凹部２７の内側に形成されていてもよい。これによると、導電部３０を、さらに剥離が生じにくくすることができる。そのため、さらに信頼性の高い半導体装置を提供することができる。なお、導電部３０全体を、絶縁層２０の表面を避けて形成してもよい。また、半導体装置１は、溝２２に沿って、配線部３２を覆うように形成された絶縁膜４０をさらに有していてもよい。これによると、配線部３２の露出を防止することができるとともに、配線部３２の剥離を防止することができる。絶縁膜４０は、溝２２の内側のみに配置してもよい。言い換えると、絶縁膜４０を、絶縁層２０の表面から突出しないように形成してもよい。例えば、絶縁膜４０は、絶縁層２０の表面と面一になるように形成されていてもよい。これによると、絶縁膜４０に応力（例えば根元補強層５２との間で発生する応力）が集中することを防止することができる。そのため、信頼性の高い半導体装置を提供することができる。
【００１７】
なお、半導体装置１は、上述の構成に限られるものではない。例えば、半導体装置は、図９に示すように、絶縁膜４５を有していてもよい。絶縁部４５は、溝２２の内面（底面２８及び側面２９）の形状に追従した形状をなしていてもよい。言い換えると、絶縁膜４５は、溝４６を有するように形成されていてもよい。また、絶縁部４５は、均一な厚さで形成されていてもよい。
【００１８】
また、半導体装置は、図１０に示すように、配線部３７を有していてもよい。配線部３７は、上端面が平坦面になっていてもよい。配線部３７は、例えば、導電性粒子を含有する溶剤を利用して形成してもよい。該溶剤は、導電性微粒子と分散媒とを含んでいてもよい。このとき、導電性微粒子は、分散媒の中で均一に拡散していてもよい。溝２２内に該溶剤を設け、その後、分散媒を揮発させる工程や、導電性微粒子のコート剤を分解する工程などを経て、配線部３７を形成してもよい。溶剤を設ける方法は特に限定されないが、例えばインクジェット方式を適用してもよい。絶縁層２０には溝２２が形成されていることから、溶剤を溝２２に流し込むことによって、低粘度の溶剤を利用した場合であっても、設計通りに溶剤を設けることができる。そのため、インクジェット方式に適した溶剤を選択することができ、配線部３７を効率よく形成することができる。そして、半導体装置は、図１０に示すように、絶縁膜４７を有していてもよい。絶縁膜４７は、溝２２の内側に形成されていてもよい。
【００１９】
あるいは、半導体装置は、図１１に示すように、配線部３８を有していてもよい。配線部３８は、一部が、溝２２から突出していてもよい。言い換えると、配線部３８は、絶縁層２０の表面から突出していてもよい。先に説明したように、配線部３８は、溝２２の底面及び側面に接触するように形成されてなる。そのため、配線部３８が絶縁層２０の表面から突出した部分を有する場合であっても、絶縁層２０と配線部３８との剥離を防止することができる。このとき、半導体装置は、絶縁膜４８を有していてもよい。絶縁膜４８は、絶縁層２０上に形成されていてもよい。すなわち、絶縁膜４８は、絶縁層２０上に突出するように形成されていてもよい。
【００２０】
（第２の実施の形態）
以下、本発明を適用した第２の実施の形態に係る半導体装置の製造方法について説明する。図１２（Ａ）〜図１７は、本発明を適用した第２の実施の形態に係る半導体装置の製造方法について説明するための図である。
【００２１】
本実施の形態に係る半導体装置の製造方法は、図１２（Ａ）及び図１２（Ｂ）に示すように、半導体基板１０に絶縁層６０を形成することを含む。絶縁層６０は、溝６２を有するように形成する。溝６２は、半導体基板１０を向く面とは反対側の面に形成されてなる。絶縁層６０には、電極１４を露出させる貫通穴６４が形成されていてもよい。溝６２は、貫通穴６４に連通されていてもよい。なお、図１２（Ｂ）は、絶縁層６０の上視図である。
【００２２】
本実施の形態に係る半導体装置の製造方法は、図１３（Ａ）及び図１３（Ｂ）に示すように、絶縁層６０上に、導電部７０を形成することを含む。導電部７０は、溝６２の底面及び側面に接触するように形成された配線部７２を有する。そして、導電部７０は、配線部７２に電気的に接続された電気的接続部７４を有していてもよい。電気的接続部７４は、溝６２を避けて形成してもよい。すなわち、電気的接続部７４は、絶縁層６０の表面に形成してもよい。言い換えると、電気的接続部７４は、絶縁層６０の第２の面上に形成してもよい。
【００２３】
本実施の形態に係る半導体装置の製造方法は、図１４に示すように、絶縁層６０上に、第２の絶縁層８０を形成することを含む。第２の絶縁層８０は、絶縁層６０と対向する第１の面とは反対側の第２の面に形成された第２の溝８２を有するように形成してもよい。また、第２の絶縁層８０は、電気的接続部７４を露出させる貫通穴８４を有するように形成してもよい。そして、第２の絶縁層８０は、貫通穴６４を充填するように形成してもよい。
【００２４】
本実施の形態に係る半導体装置の製造方法は、図１５に示すように、第２の絶縁層８０上に、第２の導電部７１を形成することを含む。第２の導電部７１は、導電部７０と電気的に接続されるように形成してもよい。第２の導電部７１は、第２の配線部７５を有するように形成する。第２の導電部７１は、第２の配線部７５が、第２の溝８２の底面及び側面と接触するように形成する。第２の導電部７１は、第２の電気的接続部７７を有するように形成してもよい。第２の電気的接続部７７は、第２の絶縁層８０の表面（第２の面上）に形成されていてもよい。あるいは、第２の電気的接続部７７は、第２の絶縁層８０に形成された凹部の内側に形成されていてもよい（図示せず）。
【００２５】
本実施の形態に係る半導体装置の製造方法は、図１６に示すように、第２の絶縁膜８５を形成することを含んでいてもよい。第２の絶縁膜８５は、第２の配線部７５を覆うように形成してもよい。また、第２の絶縁膜８５は、第２の電気的接続部７７を部分的に覆うように形成してもよい。あるいは、第２の絶縁膜８５は、第２の電気的接続部７７を避けて形成してもよい。また、第２の絶縁膜８５は、貫通穴８４を避けて形成してもよい。
【００２６】
そして、図１７に示すように、外部端子５０を形成する工程や、根元補強層５２を形成する工程を経て、半導体装置２を製造してもよい。以上の工程によって、複数層に積層された絶縁部を有する半導体装置を、効率よく製造することができる。なお、上記の工程を繰り返すことによって、三層以上に積層された絶縁部を有する半導体装置を製造してもよい（図示せず）。
【００２７】
なお、本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び効果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００２８】
【図１】図１（Ａ）及び図１（Ｂ）は、本発明を適用した第１の実施の形態に係る半導体装置の製造方法を説明するための図である。
【図２】図２（Ａ）〜図２（Ｅ）は、本発明を適用した第１の実施の形態に係る半導体装置の製造方法を説明するための図である。
【図３】図３（Ａ）〜図３（Ｃ）は、本発明を適用した第１の実施の形態に係る半導体装置の製造方法を説明するための図である。
【図４】図４（Ａ）〜図４（Ｄ）は、本発明を適用した第１の実施の形態に係る半導体装置の製造方法を説明するための図である。
【図５】図５（Ａ）〜図５（Ｃ）は、本発明を適用した第１の実施の形態に係る半導体装置の製造方法を説明するための図である。
【図６】図６（Ａ）及び図６（Ｂ）は、本発明を適用した第１の実施の形態に係る半導体装置の製造方法を説明するための図である。
【図７】図７は、本発明を適用した第１の実施の形態に係る半導体装置の製造方法を説明するための図である。
【図８】図８は、本発明を適用した実施の形態に係る半導体装置が実装された回路基板を示す図である。
【図９】図９は、本発明を適用した第１の実施の形態の変形例に係る半導体装置の製造方法を説明するための図である。
【図１０】図１０は、本発明を適用した第１の実施の形態の変形例に係る半導体装置の製造方法を説明するための図である。
【図１１】図１１は、本発明を適用した第１の実施の形態の変形例に係る半導体装置の製造方法を説明するための図である。
【図１２】図１２（Ａ）及び図１２（Ｂ）は、本発明を適用した第２の実施の形態に係る半導体装置の製造方法を説明するための図である。
【図１３】図１３（Ａ）及び図１３（Ｂ）は、本発明を適用した第２の実施の形態に係る半導体装置の製造方法を説明するための図である。
【図１４】図１４は、本発明を適用した第２の実施の形態に係る半導体装置の製造方法を説明するための図である。
【図１５】図１５は、本発明を適用した第２の実施の形態に係る半導体装置の製造方法を説明するための図である。
【図１６】図１６は、本発明を適用した第２の実施の形態に係る半導体装置の製造方法を説明するための図である。
【図１７】図１７は、本発明を適用した第２の実施の形態に係る半導体装置の製造方法を説明するための図である。
【符号の説明】
【００２９】
１０…半導体基板、  １１…領域、  １２…集積回路、  １４…電極、  １６…パッシベーション膜、  ２０…絶縁層、  ２２…溝、  ２４…材料、  ２５…凹部、  ２６…貫通穴、  ２７…凹部、  ２８…底面、  ２９…側面、  ３０…導電部、  ３２…配線部、  ３４…電気的接続部、  ３７…配線部、  ３８…配線部、  ４０…絶縁膜、  ４２…絶縁ペースト、  ４４…ノズル、  ４５…絶縁膜、  ４６…溝、  ４７…絶縁膜、  ４８…絶縁膜、  ５０…外部端子、  ５２…根元補強層、  ６０…絶縁層、  ６２…溝、  ６４…貫通穴、  ７０…導電部、  ７１…第２の導電部、  ７２…配線部、  ７４…電気的接続部、  ７５…第２の配線部、  ７７…第２の電気的接続部、  ８０…第２の絶縁層、  ８２…第２の溝、  ８４…貫通穴、  ８５…第２の絶縁膜、  １００…マスク、  ２００…マスク
【図１】
2006287095.tif 000003
【図２】
2006287095.tif 000004
【図３】
2006287095.tif 000005
【図４】
2006287095.tif 000006
【図５】
2006287095.tif 000007
【図６】
2006287095.tif 000008
【図７】
2006287095.tif 000009
【図８】
2006287095.tif 000010
【図９】
2006287095.tif 000011
【図１０】
2006287095.tif 000012
【図１１】
2006287095.tif 000013
【図１２】
2006287095.tif 000014
【図１３】
2006287095.tif 000015
【図１４】
2006287095.tif 000016
【図１５】
2006287095.tif 000017
【図１６】
2006287095.tif 000018
【図１７】
2006287095.tif 000019